(57)【特許請求の範囲】
【請求項１】
ディスプレイ本体と、前記ディスプレイ本体が収納可能なケースと、前記ディスプレイ本体の両側に設けられ、かつ前記ケースに昇降自在に支承された支持ブラケットと、前記ディスプレイ本体を上方へ付勢する付勢手段と、前記ディスプレイ本体を前記付勢手段の付勢力に抗して使用位置および収納位置にロックするロック手段とよりなるディスプレイ装置であって、前記ディスプレイ本体の側面に、前記ディスプレイ本体の昇降方向に沿ってガイド溝を形成すると共に、前記ガイド溝に、前記ケースより突設した突出部を嵌合し、かつ前記付勢手段が定荷重ばねにより常時前記ディスプレイ本体を上方へ付勢するように構成されたことを特徴とするディスプレイ装置。
【請求項２】
前記突出部の先端を、前記ガイド溝の底面に摺接させてなる請求項１記載のディスプレイ装置。
【請求項３】
前記支持ブラケットに、前後及び上下に離間して複数のガイドローラを回転自在に支承すると共に、前記ガイドローラを、前記ケースに形成されたガイド用長孔に上下動自在に嵌合してなる請求項１または２に記載のディスプレイ装置。
【請求項４】
前記付勢手段を構成する定荷重ばねを前記ディスプレイ本体の両側に設けてなる請求項１ないし３の何れか１項に記載のディスプレイ装置。
【請求項５】
前記付勢手段または前記ケースの上部に、前記ディスプレイ本体が使用位置に上昇した際、前記ロック手段のロックピンに弾性的に当接して、前記ロックピンの振動を抑制するダンパ部材を設けてなる請求項１ないし４の何れか１項に記載のディスプレイ装置。
【請求項６】
前記ダンパ部材を、上昇した支持ブラケットの上部に当接する当接部と、前記当接部より突設された突出片から形成し、かつ弾性材料により一体成形してなる請求項５に記載のディスプレイ装置。
【発明の詳細な説明】
【０００１】
【発明の属する技術分野】
本発明はディスプレイ本体の昇降動作が円滑に行えるディスプレイ装置に関する。
【０００２】
【従来の技術】
従来文字や映像などの情報を表示するディスプレイ装置には、薄型でかつ軽量な液晶表示装置を使用したものがある。
【０００３】
また車載用のディスプレイ装置などには、不使用時ディスプレイ本体が邪魔にならないようケース内に収納できるようにしたものがあり、ディスプレイ本体の収納構造としては、例えば特開平１０−１４７１８５号公報などに記載されたものがある。
【０００４】
前記公報のディスプレイ装置は、ケース内に水平状態で収納したディスプレイ本体を、使用時垂直方向へ方向を変えて使用位置へと突出させるようにしたもので、リンク機構によりディスプレイ本体を水平位置より垂直位置へ方向変換させて使用位置まで移動させ、収納時にはその逆の動作で水平位置へ方向変換させてケース内に収納する構造となっている。
【０００５】
【発明が解決しようとする課題】
しかし前記公報のディスプレイ装置のように、水平位置に収納されたディスプレイ装置本体を、使用時垂直位置へ方向変換させるようにしたものでは、複雑なリンク機構などを使用しているため、動作が円滑でないと共に、部品点数が多くなるため、ディスプレイ装置が高価になるなどの問題がある。
【０００６】
またディスプレイ本体を使用位置にすると、リンク機構が外部に露出するため、見栄えが悪いなどの問題もある。
【０００７】
本発明はかかる従来の問題点を改善するためになされたもので、ディスプレイ本体の昇降動作が円滑に行え、かつ見栄えも良好なディスプレイ装置を簡単な構成で安価に提供することを目的とするものである。
【０００８】
【課題を解決するための手段】
前記目的を達成するため請求項１に記載のディスプレイ装置は、ディスプレイ本体と、ディスプレイ本体が収納可能なケースと、ディスプレイ本体の両側に設けられ、かつケースに昇降自在に支承された支持ブラケットと、ディスプレイ本体を上方へ付勢する付勢手段と、ディスプレイ本体を付勢手段の付勢力に抗して使用位置および収納位置にロックするロック手段とよりなるディスプレイ装置であって、ディスプレイ本体の側面に、ディスプレイ本体の昇降方向に沿ってガイド溝を形成すると共に、前記ガイド溝にケースより突設した突出部を嵌合し、かつ付勢手段が定荷重ばねにより常時ディスプレイ本体を上方へ付勢するように構成されたものである。
【０００９】
前記構成により、ディスプレイ本体が昇降する際、ケースより突設された突出部がディスプレイ本体の左右方向のガタを規制するため、ディスプレイ本体の昇降動作が円滑に行えると共に、ディスプレイ本体の側面に設けられたガイド溝が露出するだけで、支持ブラケットなどの内部機構は外部へ露出することがないため、見栄えも大変よい。
【００１０】
またディスプレイ本体の方向を変えずにディスプレイ本体を出し入れする構成のため、複雑なリンク機構を使用せずにディスプレイ本体を出し入れでき、これによって部品点数を削減することができることから、ディスプレ装置を安価に提供できるようになる。
【００１１】
前記目的を達成するため請求項２に記載のディスプレイ装置は、突出部の先端を、ガイド溝の底面に摺接させたものである。
【００１２】
前記構成により、ディスプレイ本体が昇降する際、ケースより突設された突出部の先端がガイド溝の底面と摺接して、ディスプレイ本体の左右方向のガタを規制するため、ディスプレイ本体の昇降動作が円滑に行えるようになる。
【００１３】
前記目的を達成するため請求項３に記載のディスプレイ装置は、支持ブラケットに、前後及び上下に離間して複数のガイドローラを回転自在に支承すると共に、ガイドローラを、ケースに形成されたガイド用長孔に上下動自在に嵌合したものである。
【００１４】
前記構成により、前後及び上下に設けられた複数のガイドローラによりディスプレイ本体の昇降がガイドされるため、ディスプレイ本体の昇降動作がさらに円滑に行えるようになる。
【００１５】
前記目的を達成するため請求項４に記載のディスプレイ装置は、付勢手段を構成する定荷重ばねをディスプレイ本体の両側に設けたものである。
【００１６】
前記構成により、ディスプレイ本体の上昇速度をほぼ一定にすることができるため、動作が安定すると共に、ディスプレイ本体の両側に設けられた定荷重ばねによって、ディスプレイ本体の左右に均一に付勢力が作用するため、昇降動作中にディスプレイ本体が傾いて円滑な昇降動作が阻害されるなどの心配もない。
【００１７】
前記目的を達成するため請求項５に記載のディスプレイ装置は、付勢手段またはケースの上部に、ディスプレイ本体が使用位置に上昇した際、ロック手段のロックピンに弾性的に当接して、ロックピンの振動を抑制するダンパ部材を設けたものである。
【００１８】
前記構成により、車両のアイドリング時等にインストルメントパネルに振動が発生しても、ダンパ部材の突出片をロックピンに弾性的に当接させることにより、ロックピンは２点で支持されて揺動が抑制されるため、ロック手段より異音が発生するのを確実に防止できるようになる。
【００１９】
前記目的を達成するため請求項６に記載のディスプレイ装置は、ダンパ部材を、上昇した支持ブラケットの上部に当接する当接部と、前記当接部より突設された突出片から形成し、かつ弾性材料により一体成形したものである。
【００２０】
前記構成により、ディスプレイ本体が前後にチルトされても、突出片がロックピンの移動に追従してロックピンより離れることがないので、ディスプレイ本体のチルト操作範囲全域で異音の発生が防止できると共に、ダンパ部材の量産が可能なため、ダンパ部材が安価に得られるようになる。
【００２１】
【発明の実施の形態】
本発明の実施の形態を図面を参照して詳述する。
【００２２】
図１はディスプレイ本体を使用位置にした状態の斜視図、図２は同断面図、図３はディスプレイ本体の斜視図、図４はケースの斜視図、図５は付勢手段の斜視図、図６はロック手段の断面図である。
【００２３】
ディスプレイ本体１は、偏平な箱形のカバー１ａ内に、液晶表示装置１ｂが収容された構成で、カバー１ａの前面に開口された開口部１ｃより液晶表示装置１ｂが見えるようになっている。
【００２４】
カバー１ａの両側下部には、下面が開放したほぼＣ字形の支持ブラケット２がヒンジピン３により取付けられていて、これら支持ブラケット２の外側面に複数対、例えば２対のガイドローラ４が前後及び上下に離間して回転自在に支承されている。
【００２５】
そしてこれらガイドローラ４は、ケース５に形成されたガイド用長孔５ａに、ケース５内側から嵌合されている。
【００２６】
ケース５は両側板５ｂと、これら両側板５ｂの前縁間を連結する前面板５ｃよりなり、両側板５ｂに前後に離間し、かつ互いに平行する片側２本、計４本のガイド用長孔５ａが縦方向に形成されていて、これらガイド用長孔５ａに嵌合されたガイドローラ４をガイドすることにより、ディスプレイ本体１が円滑に昇降できるようになっている。
【００２７】
またケース５の前側上部には、両側板５ｂより互いに対向する方向に丸ピン状の突出部５ｄが突設されていて、これら突出部５ｄはディスプレイ本体１の両側面に縦方向に形成されたガイド溝１ｄに嵌合されている。
【００２８】
前記突出部５ｄは、ディスプレイ本体１が昇降する際、ディスプレイ本体１の左右方向のガタを規制するため、突出部５ｄの外周面がガイド溝１ｄの内側面に摺接すると共に、先端がガイド溝１ｄの底面とも摺接するようになっている。
【００２９】
一方ディスプレイ本体１は、付勢手段６により常時上方へ付勢されている。
【００３０】
付勢手段６は図５に示すように、下面が開放したほぼコ字形のフレーム６ａを有していて、このフレーム６ａの屈曲部内に、ゼンマイ状の定荷重ばね６ｂが巻き込まれた巻き取りボビン６ｃとガイドボビン６ｄが回転自在に支承されている。
【００３１】
巻き取りボビン６ｃに巻き込まれた定荷重ばね６ｂの先端側は、ガイドボビン６ｄを迂回して下方へ延出され、先端部が樹脂製のブラケット６ｅを介して支持ブラケット２に固着されており、これによって定荷重ばね６ｂの付勢力でディスプレイ本体１が上方へ付勢されていると共に、フレーム６ａの一方の側面には、ラック６ｆが縦方向に形成されていて、このラック６ｆにダンパ７のピニオン７ａが噛合されている。
【００３２】
ダンパ７はディスプレイ本体１が急激に上昇するのを抑制するためのもので、一方の支持ブラケット２の後側上部に突設された突出片２ａに取付けられていて、ダンパ７より突出された回転軸（図示せず）に前記ピニオン７ａが取付けられている。
【００３３】
またディスプレイ本体１内には、ディスプレイ本体１を使用位置及び収納位置にロックするロック手段８が、そしてロック手段８の近傍には、車両のアイドリング時等に発生するインストルメントパネルの振動によりロック手段８が異音を発生するのを防止するダンパ部材９が設けられている。
【００３４】
ロック手段８は図６に示すように、ディスプレイ本体１内の下部に左右に分割され、かつ水平に設けられた一対のロックピン８ａを有している。
【００３５】
これらロックピン８ａの一端側は、ディスプレイ本体１の両側面より出没自在に突出されていて、ディスプレイ本体１を収納位置へ下降させ、また使用位置に上昇させた際、先端部がケース５の両側板５ｂに形成されたロックピン８aよりやや径の大きいロック孔８ｂ、８ｆに係合するようになっており、ロックピン８ａの他端側には、ロックピン８ａを突出方向へ付勢する圧縮ばね８ｃが嵌挿されている。
【００３６】
ロック手段８より異音が発生するのを防止するダンパ部材９は、図５（ロ）に示すように半円柱状の当接部９ａと、当接部９ａの上面に突設されたほぼ山形の取付け部９ｂ及び当接部９ａの端面より突設されたほぼ逆Ｌ字形の突出片９ｃより構成されていて、硬度が６５〜７０°（ショアＡスケール）の天然ゴムなどにより一体成形されており、付勢手段６のフレーム６ａ前面に次のように取付けられている。
【００３７】
すなわちフレーム６ａの両端側前面には、角孔６ｈを有する舌片６ｉが突設されていて、この舌片６ｉの角孔６ｈにダンパ部材９の取付け部９ｂを下方より圧入することにより、取付け部９ｂの両側面に形成された係止部９ｄが角孔６ｈの開口縁に係止されて、当接部９ａより突設された突出片９ｃが前方へ向くようにフレーム６ａにダンパ部材９が取付けられている。
【００３８】
そして付勢手段６によりディスプレイ本体１が上昇された際、支持ブラケット２の上縁部に折り曲げ形成された縁部２ｂがダンパ部材９の当接部９ａに下方より当接すると共に、当接部９ａより突設された突出片９ｃがロック手段８のロックピン８ａに上方より接触することにより、ロックピン８ａを弾性的に支持するようになっている。
【００３９】
一方ディスプレイ本体１内には、ロックピン８ａのロックを解除するロック解除手段１０が設けられている。
【００４０】
ロック解除手段１０は図６に示すように、下面が開放したほぼコ字形のスライドアーム１０ａを有していて、スライドアーム１０ａの上部に突出された突出部１０ｂの上面が、ディスプレイ本体１の上面に設けられたロック解除ボタン１０ｃに下方より当接されている。
【００４１】
スライドアーム１０ａの突出部１０ｂ内には、スライドアーム１０ａを上方へ付勢するつる巻きばね１０ｄが設けられていると共に、スライドアーム１０ａの下端側には、ピン１０ｅが突設されていて、これらピン１０ｅは解除レバー１０ｆの上面に上方より当接されている。
【００４２】
解除レバー１０ｆはピン１０ｇによりディスプレイ本体１側に回動自在に枢着されていて、下端側がロックピン８ａに突設された突起８ｅに当接されており、ロック解除ボタン１０ｃを押圧してスライドアーム１０ａを下降させると、ピン１０ｇを中心に解除レバー１０ｆが回動されて、ロックピン８ａを圧縮ばね８ｃに抗して没入されるようになっている。
【００４３】
なお図１中１１はディスプレイ本体１を収納位置に停止させるクッション体である。
【００４４】
次に前記構成されたディスプレイ装置の作用を説明する。
【００４５】
ディスプレイ装置を車載用として使用する場合は、車両のインストルメントパネル１２内などに図２に示すようにケース５とともにディスプレイ本体１を組込んで、ケース５を図示しない車体などに固定する。
【００４６】
またケース５内に収納されたディスプレイ本体１を使用する場合は、ディスプレイ本体１の上面に設けられたロック解除ボタン１０ｃを押圧する。
【００４７】
これによってロック解除手段１０のスライドアーム１０ａが下降されて解除レバー１０ｆを回動するため、左右のロックピン８ａが圧縮ばね８ｃに抗して没入され、ディスプレイ本体１のロックが解除される。
【００４８】
ディスプレイ本体１は付勢手段６により常時上方へ付勢されているため、ロック解除とともに上昇を開始すると共に、ダンパ７に設けられたピニオン７ａが、付勢手段６のフレーム６ａに設けられたラック６ｆにより回転されて、ディスプレイ本体１の急激な上昇を抑制する。
【００４９】
またケース５より突設された突出部５ｄがディスプレイ本体１の両側面に形成されたガイド溝１ｄに嵌合されていて、ディスプレイ本体１の上昇をガイドするため、ディスプレイ本体１の前後方向及び左右方向にガタが生じることがなく、これによってディスプレイ本体１が円滑に使用位置まで上昇される。
【００５０】
そしてディスプレイ本体１が使用位置まで上昇されると、支持ブラケット２の上部に設けられた縁部２ｂがダンパ部材９の当接部９ａに下方より当接して、ディスプレイ本体１が衝撃なく停止されると同時に、ロックピン８ａの先端がケース５の両側板５ｂ上部に形成されたロック孔８ｆに嵌入されてディスプレイ本体１を使用位置にロックする。
【００５１】
ディスプレイ本体１の使用位置では、ディスプレイ本体１の両側面に形成されたガイド溝１ｄが露出するだけで、支持ブラケット２などの内部機構は外部へ露出することがないので、見栄えも大変よいと共に、ダンパ部材９の突出片９ｃがロックピン８ａに上方より接触するため、ロック手段８より異音が発生することがない。
【００５２】
すなわちロック手段８のロックピン８ａとロック孔８ｆの間には、ロックピン８ａの挿入を容易とするため、予め僅かな隙間が設けられており、このため車両のアイドリング時等にインストルメントパネル１２に振動が発生すると、ロックピン８ａの基端部側が支点となって先端側が上下に揺動し、異音が発生する原因となるが、ダンパ部材９の突出片９ｃをロックピン８ａに上方より弾性接触させることにより、インストルメントパネル１２に発生した振動がロックピン８ａに伝達されても、ロックピン８ａは２点で支持されているため揺動が抑制され、これによってロック手段８より異音が発生するのを防止できるようになる。
【００５３】
またダンパ部材９の突出片９ｃをほぼ逆Ｌ字形に形成したことにより、図に示すようにディスプレイ本体１をヒンジピン３を中心に前後へチルトさせても、突出片９ｃがロックピン８ａの移動に追従してロックピン８ａより離れることがないので、ディスプレイ本体１のチルト操作範囲全域で異音の発生が防止できるようになる。
【００５４】
一方ディスプレイ本体１をケース５内に収納する場合は、ディスプレイ本体１上面のロック解除ボタン１０ｃを押圧してロックピン８ａのロックを解除したら、さらにディスプレイ本体１を付勢手段６の付勢力に抗して押し下げる。
【００５５】
ディスプレイ本体１がケース５内の収納位置に達すると、ロックピン８ａの先端がケース５のロック孔８ｂに嵌入されて、ディスプレイ本体１が収納位置にロックされるため、ケース５内にディスプレイ本体１を容易に収納することができる。
【００５６】
なお前記実施の形態では、ダンパ部材９を付勢手段６のフレーム６ａ側に設けたが、ケース５側に設けてもよいと共に、ケース５より突設した丸ピン状の突出部５ｄをディスプレイ本体１両側のガイド溝１ｄに嵌合して、ディスプレイ本体１の前後方向及び左右方向のガタを規制するようにしたが、図７に示すようにケース５より螺挿した軸ピン１３にローラ１４を回転自在に支承して、このローラ１４をディスプレイ本体１の両側面に形成したガイド溝１ｄに嵌合してもよく、ガイド溝１ｄとの接触摩擦が転がり摩擦となるため、摩擦抵抗を軽減することができる。
【００５７】
また図８に示すようにローラ１４の外周面に円周方向に環状の突条１４ａを突設して、この突条１４ａをガイド溝１ｄの内側面に形成した凹溝１ｅに嵌入することにより、ディスプレイ本体１の左右方向のガタを規制するようにしてもよい。
【００５８】
さらに図９に示すように付勢手段６のフレーム６ａ両側にガイドリブ６ｇを突設して、これらガイドリブ６ｇをディスプレイ本体１側に設けたガイド溝（図示せず）に嵌合することにより、ディスプレイ本体１の前後及び左右方向のガタを規制するようにしてもよい。
【００５９】
【発明の効果】
本発明は以上詳述したように、ケースに支持ブラケットを介して昇降自在に支承されたディスプレイ本体の側面に、ディスプレイ本体の昇降方向に沿ってガイド溝を形成すると共に、前記ガイド溝にケースより突設した突出部を嵌合したことから、ディスプレイ本体が昇降する際、ケースより突設された突出部がディスプレイ本体の左右方向のガタを規制するため、ディスプレイ本体の昇降動作が円滑に行えると共に、ディスプレイ本体の側面に設けられたガイド溝が露出するだけで、支持ブラケットなどの内部機構は外部へ露出することがないため、見栄えも大変よい。
【００６０】
またディスプレイ本体の方向を変えずにディスプレイ本体を出し入れする構成のため、複雑なリンク機構を使用せずにディスプレイ本体の出し入れが行え、これによって部品点数を削減することができることから、ディスプレイ装置を安価に提供できると共に、突出部の先端を、ガイド溝の底面に摺接させたことにより、ディスプレイ本体の左右方向のガタを規制するため、ディスプレイ本体の昇降動作が円滑に行えるようになる。
【００６１】
さらに支持ブラケットに、前後及び上下に離間して複数のガイドローラを回転自在に支承すると共に、ガイドローラを、ケースに形成されたガイド用長孔に上下動自在に嵌合したことから、前後及び上下に設けられた複数のガイドローラによりディスプレイ本体の昇降がガイドされるため、ディスプレイ本体の昇降動作がさらに円滑に行えるようになる。
【００６２】
しかも付勢手段を定荷重ばねにより構成すると共に、定荷重ばねをディスプレイ本体の両側に設けたことから、ディスプレイ本体の上昇速度をほぼ一定にすることができるため、動作が安定する上、ディスプレイ本体の両側に設けられた定荷重ばねによって、ディスプレイ本体の左右に均一に付勢力が作用するため、昇降動作中にディスプレイ本体が傾いて円滑な昇降動作が阻害されるなどの心配もない。
【００６３】
また車両のアイドリング時等にインストルメントパネルに振動が発生しても、ダンパ部材の突出片をロックピンに弾性的に当接させることにより、ロックピンは２点で支持されて揺動が抑制されるため、ロック手段より異音が発生するのを確実に防止できると共に、ダンパ部材を、上昇した支持ブラケットの上部に当接する当接部と、当接部より突設された突出片から形成し、かつ弾性材料により一体成形したことから、ディスプレイ本体が前後にチルトされても、突出片がロックピンの移動に追従してロックピンより離れることがないので、ディスプレイ本体のチルト操作範囲全域で異音の発生が防止できる上、ダンパ部材の量産が可能なため、ダンパ部材が安価に得られるようになる。
【図面の簡単な説明】
【図１】本発明の実施の形態になるディスプレイ装置の使用状態の斜視図である。
【図２】本発明の実施の形態になるディスプレイ装置の使用状態の断面図である。
【図３】本発明の実施の形態になるディスプレイ装置を構成するディスプレイ本体の斜視図である。
【図４】本発明の実施の形態になるディスプレイ装置を構成するケースの斜視図である。
【図５】（イ）  本発明の実施の形態になるディスプレイ装置を構成する付勢手段の斜視図である。
（ロ）  図５の（イ）のＡ円内の拡大図である。
【図６】本発明の実施の形態になるディスプレイ装置を構成するロック手段及びロック解除手段の縦断面図である。
【図７】本発明の実施の形態になるディスプレイ装置に設けられた突出部の変形例を示す分解斜視図である。
【図８】本発明の実施の形態になるディスプレイ装置に設けられた突出部の変形例を示す横断面図である。
【図９】本発明の実施の形態になるディスプレイ装置に設けられた突出部の変形例を示す斜視図である。
【符号の説明】
１      ディスプレイ本体
１ｄ    ガイド溝
２      支持ブラケット
４      ガイドローラ
５      ケース
５ａ    ガイド用長孔
５ｄ    突出部
６      付勢手段
６ｂ    定荷重ばね
８      ロック手段
９      ダンパ部材
９ａ    当接部
９ｃ    突出片
【図１】
0003870726.tif 000002
【図２】
0003870726.tif 000003
【図３】
0003870726.tif 000004
【図４】
0003870726.tif 000005
【図５】
0003870726.tif 000006
【図６】
0003870726.tif 000007
【図７】
0003870726.tif 000008
【図８】
0003870726.tif 000009
【図９】
0003870726.tif 000010